(57)【要約】      （修正有）【課題】釣り針がルアー本体の両側面に各々連結されたルアーであって、魚の掛かりが良く（フッキング率が高く）、且つ、釣り針同士の絡まりが抑制されたルアーを提供する。【解決手段】ルアー１は、ルアー本体２と、ルアー本体２の側面の各々に固定された針用ハンガー３と、線材が屈曲形成された基端部４ａと、基端部４ａから延伸した直線状のシャンク部４ｂと、針先４ｃが基端部４ａ側に向くように屈曲したベント部４ｆとを含み、針用ハンガー３を介してルアー本体２に基端部４ａが連結され、ルアー本体２の周りを回動可能とする釣り針４と、釣り針４のルアー本体２の上方向への回動可動域を制限する可動域制限部５、を含む。【選択図】図１
0003235203.tif 000002
【実用新案登録請求の範囲】
【請求項１】
ルアー本体と、
前記ルアー本体の側面の各々に固定された針用ハンガーと、
線材が屈曲形成された基端部と、針先が前記基端部側に向くように屈曲したベント部とを含み、前記針用ハンガーを介して前記ルアー本体に前記基端部が連結され、前記ルアー本体の周りを回動可能とする釣り針と、
前記釣り針の前記ルアー本体の上方向への回動可動域を制限する可動域制限部と、を含むルアー。
【請求項２】
前記針用ハンガーは、前記ルアー本体の前後方向に貫通する穴を有する、請求項１に記載のルアー。
【請求項３】
前記釣り針が、スプリットリングを介して前記針用ハンガーに連結されている、請求１又は２に記載のルアー。
【請求項４】
前記可動域制限部が、前記ルアー本体の側面から突出した突起であり、
前記針用ハンガーのうちの上側の一部が前記突起内に埋入され、
前記釣り針は、前記針用ハンガーのうちの前記上側の一部よりも下側に連結されている、請求項１〜３のいずれかの項に記載のルアー。
【請求項５】
前記可動域制限部が、前記ルアー本体を側面からみて前記針用ハンガーと交差するように前記ルアー本体の側面に固定された線状部材であり、
前記釣り針は、前記針用ハンガーのうちの前記線状部材よりも下側に連結されている、請求項１〜３のいずれかの項に記載のルアー。
【請求項６】
前記ルアーを正面からみて、前記ルアー本体を左右対称に二等分する基準面を、前記ルアー本体の上方向へ回動した前記釣り針が超えないように、１対の前記釣り針が、各々、前記ルアー本体の側面に連結されている、請求項１〜５のいずれかの項に記載のルアー。
【請求項７】
前記ルアーを正面からみて、前記ルアー本体を左右対称に二等分する基準面が、前記ルアー本体の上方向へ回動した各釣り針の回動限界である、請求項１〜６のいずれかの項に記載のルアー。
【請求項８】
前記釣り針が、前記針先及び前記ベント部を複数有する、マルチフック型釣り針である、請求項１〜７のいずれかの項に記載のルアー。
【請求項９】
前記釣り針が、前記針先及び前記ベント部を３つ有する、トリプルフック型釣り針である、請求項１〜７のいずれかの項に記載のルアー。
【請求項１０】
静止状態の前記ルアーにおいて、
複数の前記針先のうちの少なくとも１つが、前記ルアー本体のうちの前記針用ハンガーよりも下側部分を二等分にする水平線Ｘよりも上方に配置されている、請求項１〜９のいずれかの項に記載のルアー。
【考案の詳細な説明】
【技術分野】
【０００１】
本考案は、改良された釣用ルアーに関する。
【背景技術】
【０００２】
一般的なハードルアーは、ルアー本体（ルアーボディー）の腹側に釣り針がぶら下がっているものが大半を占めている。これは、釣り針の重さによってルアーの重心が下に下がることで、ルアーがバランスを保ち易く、ルアーの制御が行い易いからである（特許文献１）。
【先行技術文献】
【特許文献】
【０００３】
【特許文献１】特開２０２０−３１５４１号公報
【考案の開示】
【考案が解決しようとする課題】
【０００４】
近年、ルアー本体から垂れ下がった釣り針に違和感を覚え、このタイプのルアーに見向きもしない賢い魚が出現している。このような賢い魚を釣るために、釣り針をルアー本体の上部や側面に回動不能に固定したルアーが考案されている。
しかし、釣り針をルアー本体の上部や側面等に回動不能に固定したルアーでは、釣り針がルアー本体の上部や側面に固定されているので、魚が釣り針だけを吸い込むことができず、その結果、釣り針が魚の口に掛かりにくいという課題がある。仮に、釣り針が魚の口に掛かったとしても、ルアー本体が障害となるため、釣り針の掛かりは浅く、魚を逃がしてしまうことがある。
一方、釣り針が、ルアーの前方および後方へ揺れたり、ルアー本体から離れるなど、ルアー本体の周りを回動自在に連結されていると、釣り針がルアー本体の背（上面）を跨いで相互に絡み合い、釣り針としての機能が失われるという問題がある。
【０００５】
そこで、本開示は、釣り針がルアー本体の両側面に各々連結されたルアーであって、魚の掛かりが良く（フッキング率が高く）、且つ、釣り針同士の絡まりが抑制されたルアーを提供する。
【課題を解決するための手段】
【０００６】
本開示は、ルアー本体と、前記ルアー本体の側面の各々に固定された針用ハンガーと、線材が屈曲形成された基端部と、針先が前記基端部側に向くように屈曲したベント部とを含み、前記針用ハンガーを介して前記ルアー本体に前記基端部が連結され、前記ルアー本体の周りを回動可能とする釣り針と、前記釣り針の前記ルアー本体の上方向への回動可動域を制限する可動域制限部と、を含むルアーに関する。
【考案の効果】
【０００７】
本開示によれば、釣り針がルアー本体の両側面に各々連結されたルアーであって、魚の掛かりが良く（フッキング率が高く）、且つ、釣り針同士の絡まりが抑制されたルアーを提供できる。
【図面の簡単な説明】
【０００８】
【図１】図１は、本開示の一態様のルアーの側面図である。
【図２】図２は、図１に示したルアーの下面図である。
【図３】図３は、図１に示したルアーの正面図である。
【図４】図４Ａ及び図４Ｂは、釣り針の上方向への回動の制限がなされる様子を示した、図１に示したルアーの正面図である。
【図５】図５は、本開示の別の一態様のルアーの側面図である。
【図６】図６は、図５に示したルアーの下面図である。
【図７】図７は、図５に示したルアーの正面図である
【図８】図８Ａ及び図８Ｂは、釣り針の上方向への回動の制限がなされる様子を示した、図５に示したルアーの正面図である。
【図９】図９Ａ及び図９は、釣り針が上方向への回動する様子を示した、従来のルアーの正面図である。
【考案を実施するための最良の形態】
【０００９】
本開示のルアーは、ルアー本体と、前記ルアー本体の両側面の各々に固定された針用ハンガーと、線材が屈曲形成された基端部と、針先が前記基端部側に向くように屈曲したベント部とを含み、前記針用ハンガーを介して前記ルアー本体に前記基端部が連結され、前記ルアー本体の周りを回動可能とする釣り針と、前記釣り針の前記ルアー本体の上方向への回動可動域を制限する可動域制限部と、を含む。
本開示のルアーでは、釣り針が、針用ハンガーを介してルアー本体にその基端部が連結され、ルアー本体の周りを回動可能であるので、魚が釣り針だけを吸い込むことができ、よって、魚の口への掛かりも深くなり、魚の掛かりが良い（フッキング率が高い）。一方で、本開示のルアーは、釣り針の、特に、ルアー本体の上方向への回動可動域を制限する可動域制限部を備えているので、ルアー本体の各側面に連結された一対の釣り針同士の絡まりを抑制できる。このように、本開示では、釣り針がルアー本体の両側面に各々連結されたルアーであって、魚の掛かりが良く（フッキング率が高く）、且つ、釣り針同士の絡まりが抑制されたルアーを提供できる。
【００１０】
本開示のルアーは、一態様において、好ましくは、前記針用ハンガーは、前記ルアー本体の長手方向に貫通する穴を有する。また、本開示のルアーは、一態様において、前記釣り針が、スプリットリングを介して前記針用ハンガーに連結されている。
【００１１】
本開示のルアーは、一態様において、好ましくは、前記可動域制限部が、前記ルアー本体の側面から突出した突起であり、前記針用ハンガーのうちの上側の一部が前記突起内に埋入され、前記釣り針は、前記針用ハンガーのうちの前記上側の一部よりも下側に連結されている。
【００１２】
本開示のルアーは、一態様において、好ましくは、前記可動域制限部が、前記ルアー本体を側面からみて前記針用ハンガーと交差するように前記ルアー本体の側面の固定された線状部材であり、前記釣り針は、前記針用ハンガーのうちの前記線状部材よりも下側に連結されている。
【００１３】
本開示のルアーは、一態様において、好ましくは、前記ルアーを正面からみて、前記ルアー本体を左右対称に二等分する基準面を、前記ルアー本体の上方向へ回動した前記釣り針が超えないように、１対の前記釣り針が、各々、前記ルアー本体の側面に連結されている。
【００１４】
本開示のルアーは、一態様において、好ましくは、前記ルアーを正面からみて、前記ルアー本体を左右対称に二等分する基準面が、前記ルアー本体の上方向へ回動した各釣り針の回動限界である。
【００１５】
本開示のルアーは、一態様において、好ましくは、前記釣り針が、前記針先および前記ベント部を複数有するマルチフック型釣り針であり、さらに好ましくは、前記針先および前記ベント部を３つ有する、トリプルフック型釣り針である。
【００１６】
本開示のルアーは、一態様において、好ましくは、静止状態の前記ルアーにおいて、複数の、より好ましくは３つの、前記針先のうちの少なくとも１つが、前記ルアー本体のうちの前記針用ハンガーよりも下側部分を二等分にする水平線Ｘよりも上方に配置されている。
【００１７】
以下、本開示のルアーの、一態様について、図面を参照しながら説明する。
【００１８】
（実施形態１）
図１は、本開示の一態様のルアーの側面図であり、図２は、図１に示したルアーの下面図であり、図３は、図１に示したルアーの正面図であり、図４は、釣り針の上方向への回動の制限がなされる様子を示した、図１に示したルアーの正面図である。
尚、図２において、釣り針は省略している。また、本明細書において、説明の便宜のため、静止状態であり、ルアーを泳がせたときの姿勢で、相対的に下に位置する側（腹側）を「下」又は「下側」、相対的に上に位置する側（背中側）を「上」又は「上側」と呼び、ルアー本体の上側の面を「上面」、腹側の面を「下面」と呼ぶ。また、図１に示したルアーの長手方向と同方向を「前後方向」とも呼び、ルアーの長手方向と直交し、上面及び下面を通る方向を「上下方向」と呼ぶ。また、ルアーの長手方向両端のうちの、ライン連結部９に近い側の端を「先端」とし、その反対側の端を「後端」と呼び、ある位置から、「先端」に向かう方向を「前方」、「後端」に向かう方向を「後方」と呼ぶ。
【００１９】
図１〜図４に示したルアー１は、ルアー本体２と、ルアー本体２に固定された針用ハンガー３と、針用ハンガー３を介してルアー本体２に連結された釣り針４と、釣り針４の稼働範囲を制限する可動域制限部５とを含む。
【００２０】
ルアー本体２の材料は、樹脂製、金属製、木材製等のいかなるものであってよい。ルアー１は、ハードルアーと呼ばれるルアーであればよく、その形状等について特に制限はないが、例えば、ルアー本体２は、前部２ａと後部２ｂとに分割されており、前部２ａと後部２ｂは、連結機構３５（図２参照）により連結されている。連結機構３５については、従来から公知の機構でよく、特に制限はないが、例えば、特開２０１０―１９３８０１に開示の機構が挙げられる。前部２ａと後部２ｂとが、このような連結機構により連結されていると、ライン操作により、ルアー１を、所定の速度（例えば、３〜４ｋｍ/ｈ程度）よりも速い速度で泳がせれば、あたかも本物の魚のように左右にくねらせながら水中を遊泳しているように見せかけることができる。
【００２１】
ルアー本体２の前部２ａの先端には、ライン（釣糸）を連結するためのライン連結部９が設けられている。
【００２２】
釣り針４は、その全体が、例えば、金属製の線材からなり、例えば、針先４ｃを３つ有するトリプルフック型釣り針である。釣り針４は、線材が環状に屈曲形成された基端部（「アイ部」とも呼ばれる。）４ａと、この基端部を片端に有し基端部４ａから延伸した直線状のシャンク部４ｂと、このシャンク部の４ｂの他端側から針先４ｃが基端部４ａ側に向くように屈曲した３本のベント部４ｆとを含む。尚、釣り針４における針先４ｃ及びベント部４ｆの数は、３つに制限されず、例えば、２つまたは４つであってよい。釣り針４の上下方向の長さ等のサイズは、ルアー１を水底に沈めた時の障害物への引っ掛かりの問題、釣り針４同士の絡み合い問題、魚への掛かり易さ等を考慮して、決定すればよい。例えば、釣り針４の上下方向の長さは、ルアー本体２の針用ハンガーが設けられた位置おける上下方向の長さの、好ましくは０．５〜０．７５倍、より好ましくは、０．６〜０．７５倍である。
【００２３】
釣り針４とルアー本体２との上下方向の位置関係について、針先４ｆが下過ぎると、ルアー１を水底に沈めた時に、釣り針４が障害物に引っ掛かってしまい、また、魚に対する針掛かりが悪くなる。一方、針先４ｃが上過ぎ、または、釣り針４の上下方向の長さが長すぎると、ルアー本体２の各側面に連結された釣り針４が、ルアー１の背（上面）を跨いで相互に絡み合うというトラブルが発生する恐れがある（図９Ｂ参照）。
【００２４】
図１および図３等から良く分かるように、本開示の一態様のルアー１では、釣り針４の針先４ｃは、いずれもルアー１のルアー本体２の下面よりも上方に位置していると好ましく、３つの針先４のうちの１つ、より好ましくは２について、ルアー本体２のうちの、針用ハンガー３よりも下側部分を二等分にする水平線Ｘ上、または当該水平線Ｘよりも上方でありその付近に配置されていると好ましい。
【００２５】
そして、図３に示されるように、ルアー１を正面からみて、ルアー本体２を左右対称に二等分する基準面Ｙを、回動した釣り針４が超えることが無いように、１対の釣り針４が、各々、ルアー本体２の側面に連結され、釣り針４の長さも設定されていると、好ましい。
【００２６】
釣り針４の基端部４ａが連結される釣用ハンガー３は、例えば、金属製の線材からなり、その一部が、ルアー本体２内に埋め込まれることによりルアー本体２に固定されており、残部は、線材が環状に屈曲形成された略環状リングであり、ルアー本体２の側面から突出しており、ルアー本体２の長手方向（前後方向）に貫通する穴３ａ(図１参照)を有する。釣用ハンガー３は、ルアー本体２の両側面の各々に設けられている。
【００２７】
釣用ハンガー３には、スプリットリング６が連結されている。図１からよく分かるように、スプリットリング６は、ルアー本体２の長手方向（前後方向）と直交する方向に貫通する穴６ａを有する。釣り針４は、スプリットリング６を介して釣用ハンガー３に連結されているので、釣り針４を釣用ハンガー３に直接連結する場合よりも、釣り針４の可動域が広く、魚の掛かりが向上している。一方で、ルアー１が、後で詳述する可動域制限部５を備えることにより、釣り針４のルアー本体２の、特に、上方向への回動可動域が制限されている。
【００２８】
図３に示されるように、可動域制限部５はルアー本体２の各側面から突出した傘状の突起５である。針用ハンガー３のうちの、例えば、略上側半分は、可動域制限部５内に埋入されている。可動域制限部５の材料について特に制限はないが、針用ハンガー３が設けられたルアー本体２への可動域制限部５の形成が容易な樹脂が好ましい。スプリットリング６は、針用ハンガー３のうちの、可動域制限部５の外に配置された下側部分に連結されている。尚、可動域制限部５への針用ハンガー３の埋入の程度は、本考案の効果が損なわれない範囲で、要求される釣り針４の可動域の大小等に応じて適宜設定すればよい。
【００２９】
このように、ルアー１が可動域制限部５を備えているので、図４Ａに示されるように、釣り針４がルアー本体２の上方向へ向かって回動すると、まず、スプリットリング６が可動域制限部５に当接する。釣り針４は、その後、図４Ｂに示されるように、釣り針４の基端部４ａが、スプリットリング６を滑り（スプリットリング６を軸として回動し）、釣り針のベント部４ｆや針先４ｃが上方向に持ち上げられる。基端部４ａについては、スプリットリング６の円弧に沿って、略水平移動はできるものの、さらなる上方向への移動は制限されるので、釣り針４のルアー本体２の上方向への回動可動域が、例えば、可動域制限部５が無い場合と比較して狭くなる。好ましくは、釣り針４が、例えば、ルアー本体２を左右対称に二等分する基準面Ｙを超えるような回動が制限される。
【００３０】
図４Ａから良く分かるように、可動域制限部５はその下面として、スプリットリング６が当接しうる略平面５aを有するため、可動域制限部５への安定したスプリットリング６の当接が行われ、好ましい。釣り針４の針先４ｃが、ルアー本体２の前方へ移動してから上方へ持ち上げられるような回動や、ルアー本体２の後方へ移動してから上方へ持ち上げられるような回動であっても、上記とおり、基端部４ａのさらなる上方向の移動が制限されるので、同様に、釣り針４のルアー本体２の上方向への回動可動域が、例えば、可動域制限部５が無い場合と比較して狭くなる。
【００３１】
以上のようにして、両側面に連結された釣り針４が、上記基準面Ｙを超えてベント部４ｆ同士が絡みあい、釣り針４が釣り針として機能しなくなることが抑制される。
【００３２】
図９Ａ及び図９Ｂに、従来のルアー１００の正面図を示しているが、図９Ａおよび図９Ｂに示されるように、ルアー１００が可動域制限部を備えていないため、釣り針４０は、その針先４０ｃがルアー本体２０に当接するまで制限なく回動でき、ルアー本体２０の両側面に連結された釣り針４０のベント部４０ｆ同士が絡みあい、釣り針４０が釣り針として機能しなくなる恐れがある。
【００３３】
（実施形態２）
図５は、本開示の別の一態様のルアーの側面図であり、図６は、図５に示したルアーの下面図であり、図７は、図５に示したルアーの正面図である。図８は、釣り針の上方向への回動の制限がなされる様子を示した、図５に示したルアーの正面図である。尚、図６において、釣り針は省略しており、図５〜図８において、実施形態１と同部材については同部材番号を付してその説明を省略する。
【００３４】
本態様のルアー１０は、可動域制限部５０が異なること以外は、実施形態１のルアーと同じである。本態様において、可動域制限部５０は、ルアー本体２を側面からみて、針用ハンガー３と交差するようにルアー本体２の側面の固定された線状部材である。可動域制限部５０は、例えば、金属製の線材からなり、その一部が、ルアー本体２内に埋め込まれることによりルアー本体２に固定されており、残部は、線材が環状に屈曲形成された略環状リングであり、ルアー本体２の側面から突出している。可動域制限部５０は、ルアー１０の側面からみて、ルアー本体２の長手方向（前後後方）に貫通する穴３ａ（図５参照）を有する針用ハンガー３に概ね直交している。尚、針用ハンガー３と交差する可動域制限部５０の配置位置は、本考案の効果が損なわれない範囲で、要求される釣り針４の可動域の大小等に応じて適宜設定すればよい。本態様のルアー１０では、針用ハンガー３と可動域制限部５０との交差部において、針用ハンガー３より可動域制限部５０の方が、ルアー本体２から遠くに配置されているが、針用ハンガー３より可動域制限部５０の方が、ルアー本体２のより近くに配置されていてもよい。
【００３５】
図８Ａに示されるように、釣り針４がルアー本体２の上方向へ向かって回動すると、まず、スプリットリング６が可動域制限部５０に当接する。釣り針４は、その後、図８Ｂに示されるように、釣り針４の基端部４ａがスプリットリング６を滑り（スプリットリング６を軸として回動し）、釣り針のベント部４ｆや針先４ｃが上方向に持ち上げられる。基端部４ａについては、スプリットリング６の円弧に沿って、略水平移動はできるものの、さらなる上方向への移動は制限されるので、釣り針４のルアー本体２の上方向への回動可動域が、例えば、可動域制限部５が無い場合と比較して狭くなる。好ましくは、釣り針４が、例えば、ルアー本体２を左右対称に二等分する基準面Ｙを超えるような回動可動が制限される。釣り針４の針先４ｃが、ルアー本体２の前方へ移動してから上方へ持ち上げられるような回動や、ルアー本体２の後方へ移動してから上方へ持ち上げられるような回動であっても、上記とおり、基端部４ａのさらなる上方向の移動が制限されるので、同様に、釣り針４のルアー本体２の上方向への回動可動域が、例えば、可動域制限部５が無い場合と比較して狭くなる。
【００３６】
以上のようにして、両側面に連結された釣り針４が、上記基準面Ｙを超えて、ベント部４ｆ同士が絡みあい、釣り針４が、釣り針として機能しなくなることが抑制される。
【符号の説明】
【００３７】
１，１０  ルアー
２        ルアー本体
３        針用ハンガー
３ａ      穴
４        釣り針
４ａ      基端部（アイ部）
４ｂ      シャンク
４ｃ      針先
４ｆ      ベント部
５        可動域制限部（突起）
５０      可動域制限部（線状部材）
６        スプリットリング
７        水平線Ｘ
８        基準面Ｙ
【図１】
0003235203.tif 000003
【図２】
0003235203.tif 000004
【図３】
0003235203.tif 000005
【図４】
0003235203.tif 000006
【図５】
0003235203.tif 000007
【図６】
0003235203.tif 000008
【図７】
0003235203.tif 000009
【図８】
0003235203.tif 000010
【図９】
0003235203.tif 000011